(57)【要約】【課題】  施工性に優れるとともに、その下方空間に避難することで、避難場所として十分な強度と剛性を備え、大地震時の揺れに対して移動することがなく、シェルターとしての機能を果たすことができる耐震テーブルを提供する。【解決手段】  化粧天板１３を除いた部材を金属材で形成し、部材をボルト締めして組み立てる耐震テーブルであって、化粧天板１３を支持する台枠１１と四隅の脚１５を連結して支持台１０を形成し、台枠１１の表面に金属板１２を貼設し、さらにその表面に化粧天板１３を貼設し、底枠２１の四隅に支柱２２を立設した底枠体２０を、建物ベタ基礎のコンクリート底盤２に固定して１階床下空間に設け、１階床板１を貫通して床下空間に突出させた脚１５を、支柱２２に連結して設置する。【選択図】  図１
2014039664.tif 000002
【特許請求の範囲】
【請求項１】
化粧天板１３を除いた部材を金属材で形成し、部材をボルト締めして組み立てる耐震テーブルであって、
化粧天板１３を支持する台枠１１と四隅の脚１５を連結して支持台１０を形成し、台枠１１の表面に金属板１２を貼設し、さらにその表面に化粧天板１３を貼設し、
底枠２１の四隅に支柱２２を立設した底枠体２０を、建物ベタ基礎のコンクリート底盤２に固定して１階床下空間に設け、
１階床板１を貫通して床下空間に突出させた脚１５を、支柱２２に連結して設置した耐震テーブル。
【請求項２】
請求項１に記載の耐震テーブルにおいて、
建物の基礎が布基礎で、底枠体２０の設置位置にコンクリート打設してコンクリート底盤２を形成し、このコンクリート底盤２に底枠体２０を固定した耐震テーブル。
【請求項３】
金属材が鉄材であり、金属板１２が鉄板である請求項１又は２に記載の耐震テーブル。
【請求項４】
ダイニングの食卓である請求項１、２又は３に記載の耐震テーブル。
【発明の詳細な説明】
【技術分野】
【０００１】
この発明は、普段はダイニングの食卓等として使用し、地震時にその下方空間に避難することで、家具の転倒等から身を守るシェルターとしての機能を備えた耐震テーブルに関するものである。
【背景技術】
【０００２】
地震時に、家具の転倒や家財の落下、建物の崩落から身を守る避難場所（シェルター）としてテーブルの下方空間が推奨されている。こうした地震時のシェルターとしての機能を備えた耐震テーブルとして、特許文献１や特許文献２に示すものが提案されている。これらの耐震テーブルには、通常のテーブルに対し、その強度や剛性を向上させた構造が示されている。
【先行技術文献】
【特許文献】
【０００３】
【特許文献１】特開２００６−１２２０９７号公報
【特許文献１】特開２０１１−９２６６２号公報
【発明の概要】
【発明が解決しようとする課題】
【０００４】
一方、近年我が国で続発した深度７以上の大地震の経験から、自身も行動に大きな支障を来すとともに、床に置いただけのテーブルは簡単に移動し、テーブルの下方空間に身を隠す行動自体が極めて困難であることが指摘されている。先行技術文献に示された耐震テーブルは、十分な強度と剛性を備えたとしても、揺れに対してテーブルが簡単に移動する構造では、大地震時のシェルターとしての機能を果たすことができないものである。
【０００５】
この発明は、こうした課題を解決することを目的とするもので、その下方空間に避難することで、家具の転倒や家財の落下、建物の崩落から身を守る避難場所として十分な強度と剛性を備えるとともに、大地震時の揺れに対して移動することがなく、シェルターとしての機能を果たすことができる耐震テーブルを提供することを目的とするものである。また、施工性に優れ、新築時はもちろんのこと、既存住宅のリフォーム工事において、容易に施工可能な耐震テーブルを提供することを目的とするものである。
【課題を解決するための手段】
【０００６】
上記の目的を達成するため、この発明は、化粧天板１３を除いた部材を金属材で形成し、部材をボルト締めして組み立てる耐震テーブルであって、化粧天板１３を支持する台枠１１と四隅の脚１５を連結して支持台１０を形成し、台枠１１の表面に金属板１２を貼設し、さらにその表面に化粧天板１３を貼設する。そして、底枠２１の四隅に支柱２２を立設した底枠体２０を、建物ベタ基礎のコンクリート底盤２に固定して１階床下空間に設け、１階床板１を貫通して床下空間に突出させた脚１５を、支柱２２に連結して設置するものである。
【０００７】
また、上記の耐震テーブルにおいて、建物の基礎が布基礎の場合、底枠体２０の設置位置にコンクリート打設してコンクリート底盤２を形成し、このコンクリート底盤２に底枠体２０を固定して耐震テーブルを設置するものである。
【０００８】
また、上記の耐震テーブルにおいて、金属材として鉄材、金属板１２として鉄板を用いるものである。
【０００９】
また、この発明の耐震テーブルは、ダイニングの食卓として特に適用するものである。
【発明の効果】
【００１０】
この発明の耐震テーブルは、底枠体２０を建物ベタ基礎のコンクリート底盤２に固定し、１階床板１を貫通して床下空間に突出させた脚１５を、支柱２２に連結して設置するので、耐震テーブルはコンクリート底盤２に固定され、大地震時の揺れに対して移動することがない。また、台枠１１の表面に金属板１２を貼設し、さらにその表面に化粧天板１３を貼設したので、天板が２重構造となり、耐荷重性に優れる。さらに、耐震テーブルは、耐圧盤であるコンクリート底盤２に固定され、化粧天板１３を除いた骨格部材を金属材で形成したので、十分な強度と剛性を備え、普段はダイニングの食卓等として使用し、大地震時にその下方空間に避難することで、家具の転倒や家財の落下、建物の崩落から身を守るシェルターとしての機能を果たすことができる。
【００１１】
また、部材をボルト締めして組み立てるので、現場で簡単に設置することができ、施工性に極めて優れるものである。既存住宅の基礎がベタ基礎の場合は、コンクリート底盤２に底枠体２０を固定し、布基礎の場合は、コンクリート打設してコンクリート底盤２を形成して底枠体２０を固定し、１階床板１に脚１５が貫通する貫通孔１ａを開孔するだけで、既存住宅のリフォーム工事においても容易に施工可能である。
【００１２】
また、金属材として鉄材、金属板１２として鉄板を用いることで、十分な強度を確保することができるとともに、安価に製作可能である。
【図面の簡単な説明】
【００１３】
【図１】この発明の実施例の正面図。
【図２】平面図。
【図３】施工手順を示す説明図で、床下空間に設置した底枠体の正面図。
【図４】底枠体の正面図。
【図５】脚を支柱に連結した状態の正面図。
【図６】支持台を組み立てた状態の正面図。
【図７】布基礎の場合の設置を示す正面図。
【発明を実施するための形態】
【００１４】
以下にこの発明の実施形態について、図面に基づいて具体的に説明する。
図面はこの発明の耐震テーブルの実施例を示し、図１は正面図、図２は平面図である。この耐震テーブルは、木製の化粧天板１３を除いた骨格部材が全て金属材で形成され、部材をボルト締めして組み立て、ダイニングの食卓として１階に設置したものである。図に示すように、化粧天板１３を支持する台枠１１と四隅の脚１５を連結して支持台１０が形成され、台枠１１の表面に金属板１２が貼設され、さらにその表面に化粧天板１３が貼設され、天板が２重構造とされている。
【００１５】
脚１５が連結される底枠体２０が１階床下空間に設けられ、底枠体２０は、建物ベタ基礎のコンクリート底盤２に当接した底枠２１の四隅に支柱２２を立設し、コンクリート底盤２にアンカーボルトで固定されている。支柱２２は短管状に形成され、１階床板１を貫通して床下空間に突出させた管状の脚１５が挿通され、ボルト締めして連結されている。
【００１６】
図３から６に、この耐震テーブルの施工手順を示す。図示した施工手順は、既存住宅のリフォーム工事での耐震テーブルの設置である。最初に、耐震テーブルを食卓として使用する場合、ダイニングでの設置位置を決め、１階床板１に脚１５が貫通する貫通孔１ａを開孔する。
【００１７】
次に、床下空間に潜り、底枠２１をコンクリート底盤２上に組み、四隅に支柱２２を立設させて底枠体２０をボルト締めして組み立て、底枠体２０をコンクリート底盤２にアンカーボルトで固定する。図３、４に、床下空間に設置した底枠体２０を示し、図３はその正面図、図４は平面図である。
【００１８】
次に、図５に示すように、脚１５を貫通孔１ａを貫通させて床下空間に突出させ、支柱２２に挿通させて連結する。支柱２２は、化粧天板１３の高さ位置が食卓として適した高さ位置となるように全長が設定され、支柱２２の下端に至るまで挿通した状態で連結する。なお、化粧天板１３の高さ調整が必要な場合は、スペーサーを用いて脚１５に継脚して連結長さを調整することもできる。
【００１９】
次に、図６に示すように、脚１５と台枠１１をボルト締めして支持台１０を組み立て、台枠１１の表面に金属板１２、さらにその表面に化粧天板１３をボルト締めして固定する。最後に、貫通孔１ａに隙間が生じた場合は、パテ埋め処理して仕上げる。
【００２０】
図７に、建物の基礎が布基礎の場合の耐震テーブルの設置を示す。図に示すように、布基礎の場合は床下空間は地表が露出しているので、底枠体２０の設置位置に予めコンクリート打設してコンクリート底盤２を形成し、このコンクリート底盤２に底枠体２０を固定して耐震テーブルを設置する。
【００２１】
以上、既存住宅のリフォーム工事での耐震テーブルの設置について説明したが、新築住宅の場合は、１階床板１を施工する前に、耐震テーブルを設置することで設置はさらに容易である。また、耐震テーブルは避難場所としてある程度のサイズであることが好ましく、例えば、図示の実施例の天板サイズは幅1.2ｍ、長さ1.8ｍである。さらに、台枠１１の下方に間隔を設けて板を貼り、防災グッズの収納スペースを設けてもよく、支柱２２等の目視される部分は、塗装や木目化粧シートの貼設等で、家具として違和感が生じないように化粧処理することが好ましい。
【符号の説明】
【００２２】
１  １階床板
２  コンクリート底盤
１０  支持台
１１  台枠
１２  金属板
１３  化粧天板
１５  脚
２０  底枠体
２１  底枠
２２  支柱
【図１】
2014039664.tif 000003
【図２】
2014039664.tif 000004
【図３】
2014039664.tif 000005
【図４】
2014039664.tif 000006
【図５】
2014039664.tif 000007
【図６】
2014039664.tif 000008
【図７】
2014039664.tif 000009